(57)【要約】【課題】包装材料に加工したとき、熱可塑性樹脂フィルムとシーラント層との間において接着強度低下の要因となり易い内容物を包装しても接着強度が低下し難いだけでなく、ヒートシール境界部分にしわが発生し難く、接着層が内容物成分を吸着し難い包装材料用積層体と、その積層体を効率よく得る方法並びにその積層体を用いて加工された包装材料とを提供すること。【解決手段】熱可塑性樹脂フィルム、接着層及びシーラント層が少なくともこの順に積層されてなる積層体であって、前記接着層が酸変性ポリオレフィン樹脂（Ａ）、ポリビニルアルコール（Ｂ）及び架橋剤（Ｃ）を含有し、酸変性ポリオレフィン樹脂（Ａ）１００質量部に対してポリビニルアルコール（Ｂ）を０．１〜１０質量部の範囲で含有すると共に、（Ａ）と（Ｂ）の総量１００質量部（Ａ＋Ｂ）に対し架橋剤（Ｃ）を０．１〜３０質量部含有する包装材料用積層体。【選択図】なし【特許請求の範囲】
【請求項１】
熱可塑性樹脂フィルム、接着層及びシーラント層が少なくともこの順に積層されてなる積層体であって、前記接着層が酸変性ポリオレフィン樹脂（Ａ）、ポリビニルアルコール（Ｂ）及び架橋剤（Ｃ）を含有し、酸変性ポリオレフィン樹脂（Ａ）１００質量部に対してポリビニルアルコール（Ｂ）を０．１〜１０質量部の範囲で含有すると共に、（Ａ）と（Ｂ）の総量１００質量部（Ａ＋Ｂ）に対し架橋剤（Ｃ）を０．１〜３０質量部含有することを特徴とする包装材料用積層体。
【請求項２】
前記接着層が、酸変性ポリオレフィン樹脂（Ａ）、ポリビニルアルコール（Ｂ）、架橋剤（Ｃ）及び水性媒体を含有する水性分散体から得られる塗膜であることを特徴とする請求項１記載の包装材料用積層体。
【請求項３】
熱可塑性樹脂フィルムがポリエステル樹脂フィルム又はポリアミド樹脂フィルムであることを特徴とする請求項１又は２記載の包装材料用積層体。
【請求項４】
架橋剤（Ｃ）が、オキサゾリン系架橋剤及び／又はカルボジイミド系架橋剤であることを特徴とする請求項１〜３いずれかに記載の包装材料用積層体。
【請求項５】
請求項１〜４いずれかに記載の包装材料用積層体をヒートシール加工して得られる包装材料。
【請求項６】
熱可塑性樹脂フィルムの上に、接着層を介して、溶融したシーラント樹脂を押出ラミネーションによって積層する積層体の製造方法であって、前記接着層が酸変性ポリオレフィン樹脂（Ａ）、ポリビニルアルコール（Ｂ）及び架橋剤（Ｃ）を含有し、酸変性ポリオレフィン樹脂（Ａ）１００質量部に対してポリビニルアルコール（Ｂ）を０．１〜１０質量部の範囲で含有すると共に、（Ａ）と（Ｂ）の総量１００質量部（Ａ＋Ｂ）に対し架橋剤（Ｃ）を０．１〜３０質量部含有することを特徴とする包装材料用積層体の製造方法。
【請求項７】
前記接着層が、酸変性ポリオレフィン樹脂（Ａ）、ポリビニルアルコール（Ｂ）、架橋剤（Ｃ）及び水性媒体を含有する水性分散体から得られる塗膜であることを特徴とする請求項６記載の包装材料用積層体の製造方法。
【発明の詳細な説明】
【技術分野】
【０００１】
本発明は、包装材料用積層体とそれを用いてなる包装材料に関するものであり、特に耐内容物性優れた包装材料に関するものである。
【背景技術】
【０００２】
ポリエステル樹脂フィルムやポリアミド樹脂フィルムに代表される熱可塑性樹脂フィルムは、力学特性、加工性などに優れ、しかも比較的安価なため、汎用的に広範な用途で使用されている。熱可塑性樹脂フィルムは、包装材料に好適であり、日常生活において必要不可欠なものとなっている。熱可塑性樹脂フィルムを包装材料として使用する場合には、多くの場合、ポリエチレンやポリプロプレン、エチレン−酢酸ビニル共重合体などのヒートシール性を有するシーラント樹脂からなる層を少なくともフィルムの片面に積層し、フィルムにヒートシール性が付与されている。
【０００３】
このようなシーラント樹脂を、熱可塑性樹脂フィルムに積層する方法としては、主に熱可塑性樹脂フィルムとシーラント樹脂フィルムとを接着層（接着層のことを一般にアンカーコート層、プライマー層などと呼ぶこともある）を介してラミネートするドライラミネート法と、熱可塑性樹脂フィルムの上に接着層を設け、さらにその接着層の上に溶融したシーラント樹脂を押出し、冷却固化させて積層する押出しラミネート法が一般に採用されている。中でも押出しラミネート法は、接着層を薄くしても良好な接着性が確保できることや、シーラント樹脂フィルムを使用せず原料樹脂を直接熱可塑性樹脂フィルムに押出すため、低コストであることから、特に好ましいとされている。
【０００４】
このようなシーラント層が積層された熱可塑性樹脂フィルムは、様々な内容物を包むための包装材料として使用されている。しかしながら、内容物として、メントールやナフタレンなどの揮発性を有する物質、リモネンなどの香り成分、薬効成分もしくは電池の電解液などを使用すると、これらを保存している間に、内容物自身もしくはそれらに含まれる成分により熱可塑性樹脂フィルムとシーラント層との間の接着層が膨潤もしくは溶解することがあり、これにより熱可塑性樹脂フィルムとシーラント層との間の接着強度が経時的に低下し、ひいては接着強度低下により両層が剥がれてしまう（デラミ）という問題があった。そこで、この様な問題を解決するため、特許文献１、２に、シーラント層の接着強度を改善した包装材料が提案されている。
【先行技術文献】
【特許文献】
【０００５】
【特許文献１】特開２００８−１２００６２号公報
【特許文献２】特開２０１０−５８０２号公報
【発明の概要】
【発明が解決しようとする課題】
【０００６】
しかしながら、特許文献１には、アルミ箔などからなるバリア層とシーラント層との間の接着強度の低下を抑制するための技術は記載されているものの、一般的な熱可塑性樹脂フィルムとシーラント層との間の接着強度低下をいかに抑制するかについては記載がない。
【０００７】
一方、特許文献２では、熱可塑性樹脂フィルムとシーラント層との間の接着強度低下を抑制するための技術が提案されている。しかしながら、同文献記載の包装材料は、ヒートシールした際、その境界部分に細かなしわが発生する場合があり、包装材料としての見栄えが悪くなることがあった。また、一般的に包装材料に用いられる接着層は、内容物成分の吸着が少ないことが望まれるが、特許文献２記載の接着層は、内容物成分の吸着性について改善の余地が残されている。
【０００８】
さらに、特許文献２記載の発明において、接着層は、グラビアコーターなど公知のコーターを用いて水性分散体を塗布することにより形成されるものである。そして、一般の製造現場で使われるコーターには、水系塗材や溶剤系塗材など多種類の塗材が適用され、使用目的に応じて種々の塗材に毎回置き換えられ使用されている。しかし、この塗材の置き換え作業時に、コーター備え付けの塗材貯蔵タンクや塗材供給ライン、塗材供給パンなどに非水溶性溶剤がわずかでも残っていると、水性分散体に微細な凝集物が発生することがあり、その様な水性分散体を用いても熱可塑性樹脂フィルムに均一に塗布し難いという問題がある。すなわち、引用文献２記載の水性分散体には、非水溶性溶剤（例えばトルエン）が混在したときの分散安定性に問題があった。
【０００９】
本発明は、上記のような問題点を解決するものであって、包装材料に加工したとき、熱可塑性樹脂フィルムとシーラント層との間において接着強度低下の要因となり易い内容物を包装しても接着強度が低下し難いだけでなく、ヒートシール境界部分にしわが発生し難く、接着層が内容物成分を吸着し難い包装材料用積層体と、その積層体を効率よく得る方法並びにその積層体を用いて加工された包装材料とを提供することを目的とするものである。
【課題を解決するための手段】
【００１０】
本発明者らは、上記課題を解決するために鋭意検討した結果、酸変性ポリオレフィン樹脂と、ポリビニルアルコールと、架橋剤とを特定の割合で含有する接着層を用いて、これを熱可塑性樹脂フィルムとシーラント層との間にラミネートすることにより、得られる包装材料用積層体は上記課題を解決することを見出し、本発明に到達した。
【００１１】
すなわち、本発明の要旨は、以下の通りである。
【００１２】
（１）熱可塑性樹脂フィルム、接着層及びシーラント層が少なくともこの順に積層されてなる積層体であって、前記接着層が酸変性ポリオレフィン樹脂（Ａ）、ポリビニルアルコール（Ｂ）及び架橋剤（Ｃ）を含有し、酸変性ポリオレフィン樹脂（Ａ）１００質量部に対してポリビニルアルコール（Ｂ）を０．１〜１０質量部の範囲で含有すると共に、（Ａ）と（Ｂ）の総量１００質量部（Ａ＋Ｂ）に対し架橋剤（Ｃ）を０．１〜３０質量部含有することを特徴とする包装材料用積層体。
（２）前記接着層が、酸変性ポリオレフィン樹脂（Ａ）、ポリビニルアルコール（Ｂ）、架橋剤（Ｃ）及び水性媒体を含有する水性分散体から得られる塗膜であることを特徴とする（１）記載の包装材料用積層体。
（３）熱可塑性樹脂フィルムがポリエステル樹脂フィルム又はポリアミド樹脂フィルムであることを特徴とする（１）又は（２）記載の包装材料用積層体。
（４）架橋剤（Ｃ）が、オキサゾリン系架橋剤及び／又はカルボジイミド系架橋剤であることを特徴とする（１）〜（３）いずれかに記載の包装材料用積層体。
（５）（１）〜（４）いずれかに記載の包装材料用積層体をヒートシール加工して得られる包装材料。
（６）熱可塑性樹脂フィルムの上に、接着層を介して、溶融したシーラント樹脂を押出ラミネーションによって積層する積層体の製造方法であって、前記接着層が酸変性ポリオレフィン樹脂（Ａ）、ポリビニルアルコール（Ｂ）及び架橋剤（Ｃ）を含有し、酸変性ポリオレフィン樹脂（Ａ）１００質量部に対してポリビニルアルコール（Ｂ）を０．１〜１０質量部の範囲で含有すると共に、（Ａ）と（Ｂ）の総量１００質量部（Ａ＋Ｂ）に対し架橋剤（Ｃ）を０．１〜３０質量部含有することを特徴とする包装材料用積層体の製造方法。
（７）前記接着層が酸変性ポリオレフィン樹脂（Ａ）、ポリビニルアルコール（Ｂ）、架橋剤（Ｃ）及び水性媒体を含有する水性分散体から得られる塗膜であることを特徴とする（６）記載の包装材料用積層体の製造方法。
【発明の効果】
【００１３】
本発明の包装材料は、熱可塑性樹脂フィルムとシーラント層との間の接着強度低下の要因となり易い内容物を長期間保存しても、熱可塑性樹脂フィルムとシーラント層との間の接着強度が低下し難い（以下、このような効果を「耐内容物性能」ということがある）。さらに、ヒートシール境界部分にしわが寄りにくい。また、内容物成分の吸着が少ないため、内容物を長期間良好に保存することもできる。そして、本発明の包装材料用積層体を製造する際に使用する水性分散体は、非水溶性溶剤が混在しても分散安定性に優れるため、塗材の置き換え作業を円滑に行うことができ、均一な接着層を形成するうえでも有利となる。
【発明を実施するための形態】
【００１４】
以下、本発明を詳細に説明する。
【００１５】
本発明の包装材料用積層体は、熱可塑性樹脂フィルム、接着層及びシーラント層が少なくともこの順に積層されてなる包装材料である。
【００１６】
本発明における熱可塑性樹脂フィルムとしては、種々の熱可塑性樹脂を原料として製造されたものを用いることができる。熱可塑性樹脂としては、ポリエチレンテレフタレート（以下、「ＰＥＴ」と略すことがある）、ポリブチレンテレフタレート、ポリエチレンナフタレート、ポリブチレンナフタレート、及びこれらの混合物などのポリエステル樹脂；ポリカプロンアミド（以下、「ナイロン６」もしくは「Ｎｙ６」と略すことがある）、ポリへキサメチレンアジパミド（ナイロン６６）、ポリ−ｐ−キシリレンアジパミド（ＭＸＤ６ナイロン）、及びこれらの混合物などのポリアミド樹脂；ポリエチレン、ポリプロピレン、及びこれらの混合物などのポリオレフィン樹脂などが挙げられる。これらの中でも、ポリエステル樹脂、ポリアミド樹脂が好ましく、包装材料に優れた力学特性を与えうる点でＰＥＴ、Ｎｙ６が特に好ましい。
【００１７】
熱可塑性樹脂フィルムは、通常、公知の方法で製造されたものを用いることができ、無延伸フィルム又は延伸フィルムのどちらであっても構わないが、透明性や光沢性付与の点から一軸又は二軸延伸フィルムが好ましく、二軸延伸フィルムがより好ましい。フィルムの厚みは特に限定されず、通常５〜５００μｍのものが用いられる。
【００１８】
また、熱可塑性樹脂フィルムは、接着性の向上のために、接着層を設ける面に表面活性化処理がなされていることが好ましい。表面活性化処理としては、例えば、コロナ放電処理、フレームプラズマ処理、大気圧プラズマ処理、低圧プラズマ処理、オゾン処理、電子線照射処理、紫外線照射処理、薬品処理、溶剤処理などが挙げられ、簡便さと接着効果のバランスからコロナ放電処理が好ましい。
【００１９】
本発明における接着層は、酸変性ポリオレフィン樹脂（Ａ）、ポリビニルアルコール（Ｂ）及び架橋剤（Ｃ）を含有するものである。
【００２０】
酸変性ポリオレフィン樹脂（Ａ）の主成分であるオレフィン成分は特に限定されないが、エチレン、プロピレン、イソブチレン、２−ブテン、１−ブテン、１−ペンテン、１−ヘキセンなどの炭素数２〜６のアルケンが好ましく、これらの混合物を用いてもよい。中でも、接着性をより高める観点から、エチレン、プロピレン、イソブチレン、１−ブテンなどの炭素数２〜４のアルケンがより好ましく、エチレン、プロピレンがさらに好ましく、エチレンが最も好ましい。
【００２１】
本発明において、酸変性ポリオレフィン樹脂（Ａ）は、不飽和カルボン酸成分により酸変性されたポリオレフィン樹脂である。不飽和カルボン酸成分としては、アクリル酸、メタクリル酸、（無水）マレイン酸、（無水）イタコン酸、フマル酸、クロトン酸などのほか、不飽和ジカルボン酸のハーフエステル、ハーフアミドなどが挙げられる。中でもアクリル酸、メタクリル酸、（無水）マレイン酸が熱可塑性樹脂フィルムとの接着性の観点から好ましく、特にアクリル酸、（無水）マレイン酸が好ましい。また、不飽和カルボン酸成分は、酸変性ポリオレフィン樹脂中に共重合されていればよく、その形態は特に限定されない。共重合の状態としては、例えば、ランダム共重合、ブロック共重合、グラフト共重合（グラフト変性）などが挙げられる。なお、「（無水）〜酸」とは、「〜酸又は無水〜酸」を意味する。すなわち、（無水）マレイン酸とは、マレイン酸又は無水マレイン酸を意味する。
【００２２】
酸変性ポリオレフィン樹脂（Ａ）における不飽和カルボン酸成分の含有量は、熱可塑性樹脂フィルムとシーラント層との接着性や耐内容物性のバランスなどから、０．０１〜１０質量％が好ましく、０．１〜５質量％がより好ましく、０．５〜４質量％がさらに好ましく、１〜４質量％が特に好ましい。含有量が０．０１質量％未満になると、接着性に劣る傾向にあり、さらには後述する水性分散体への加工が困難となる傾向がある。一方、１０質量％を超えると、接着性や耐内容物性能が低下する傾向にあり、さらには後述するポリビニルアルコール（Ｂ）と混合した際の安定性が低下する傾向にある。
【００２３】
酸変性ポリオレフィン樹脂（Ａ）は、熱可塑性樹脂フィルムとシーラント層との十分な接着性を得るために、（メタ）アクリル酸エステル成分を含有していることが好ましい。（メタ）アクリル酸エステル成分としては、（メタ）アクリル酸と炭素数１〜３０のアルコールとのエステル化物が挙げられ、中でも入手のし易さの点から、（メタ）アクリル酸と炭素数１〜２０のアルコールとのエステル化物が好ましい。（メタ）アクリル酸エステル成分の具体例としては、（メタ）アクリル酸メチル、（メタ）アクリル酸エチル、（メタ）アクリル酸プロピル、（メタ）アクリル酸ブチル、（メタ）アクリル酸ヘキシル、（メタ）アクリル酸オクチル、（メタ）アクリル酸デシル、（メタ）アクリル酸ラウリル、（メタ）アクリル酸ドデシル、（メタ）アクリル酸ステアリルなどが挙げられる。これらの混合物を用いてもよい。この中で、入手の容易さと接着性の点から、（メタ）アクリル酸メチル、（メタ）アクリル酸エチル、（メタ）アクリル酸ブチル、アクリル酸ヘキシル、アクリル酸オクチルがより好ましく、アクリル酸エチル、アクリル酸ブチルがより好ましく、アクリル酸エチルが特に好ましい。（なお、「（メタ）アクリル酸〜」とは、「アクリル酸〜又はメタクリル酸〜」を意味する。
【００２４】
酸変性ポリオレフィン樹脂（Ａ）における（メタ）アクリル酸エステル成分の含有量は、接着性及び耐内容物性の点から、０．１〜２５質量％であることが好ましく、１〜２０質量％であることがより好ましく、２〜１８質量％であることがさらに好ましく、３〜１５質量％であることが特に好ましい。（メタ）アクリル酸エステル成分の含有量が０．１質量％未満の場合は、接着性が低下する傾向にあり、２５質量％を超える場合は耐内容物性が悪化する傾向にある。また、（メタ）アクリル酸エステル成分は、酸変性ポリオレフィン樹脂中に共重合されていればよく、その形態は限定されず、共重合の状態としては、例えば、ランダム共重合、ブロック共重合、グラフト共重合（グラフト変性）などが挙げられる。
【００２５】
酸変性ポリオレフィン樹脂（Ａ）の具体例としては、エチレン−アクリル酸エチル−（無水）マレイン酸共重合体、エチレン−アクリル酸ブチル−（無水）マレイン酸共重合体などのエチレン−（メタ）アクリル酸エステル−（無水）マレイン酸共重合体、エチレン−プロピレン−（メタ）アクリル酸エステル−（無水）マレイン酸共重合体、エチレン−ブテン−（メタ）アクリル酸エステル−（無水）マレイン酸共重合体、プロピレン−ブテン−（メタ）アクリル酸エステル−（無水）マレイン酸共重合体、エチレン−プロピレン−ブテン−（メタ）アクリル酸エステル−（無水）マレイン酸共重合体、エチレン−アクリル酸共重合体、エチレン−メタクリル酸共重合体、エチレン−無水マレイン酸共重合体、エチレン−プロピレン−（無水）マレイン酸共重合体、エチレン−ブテン−（無水）マレイン酸共重合体、プロピレン−ブテン−（無水）マレイン酸共重合体、エチレン−プロピレン−ブテン−（無水）マレイン酸共重合体などが挙げられ、中でもエチレン−（メタ）アクリル酸エステル−（無水）マレイン酸共重合体が最も好ましい。共重合体の形態はランダム共重合体、ブロック共重合体、グラフト共重合体などのいずれでもよいが、入手が容易という点でランダム共重合体、グラフト共重合体が好ましい。
【００２６】
なお、エチレン−（メタ）アクリル酸エステル−（無水）マレイン酸共重合体は、例えば、英国特許第２０９１７４５号明細書、米国特許第４６１７３６６号明細書及び米国特許第４６４４０４４号明細書などに記載された方法を参照することで、当業者であれば容易に製造することができる。
【００２７】
酸変性ポリオレフィン樹脂（Ａ）の分子量は、高くなるほど得られる包装材料の耐内容物性が良好となる点で好ましい。具体的には、分子量の目安となる１９０℃、２１６０ｇ荷重におけるメルトフローレート（ＭＦＲ）は、０．００１〜３００ｇ／分の範囲が好ましく、０．１〜１００ｇ／分がより好ましく、０．５〜５０ｇ／１０分がさらに好ましく、１〜１０ｇ／１０分が特に好ましく、１〜５ｇ／１０分が最も好ましい。メルトフローレートが３００ｇ／分を超える場合は、耐内容物性が低下する傾向にあり、０．００１ｇ／分未満の場合は、樹脂を高分子量化する際、製造面において制約を受ける。
【００２８】
本発明において、酸変性ポリオレフィン樹脂（Ａ）は後述するように、水性分散液として利用することが好ましいものである（なお、本明細書では（Ａ）、（Ｂ）、（Ｃ）及び水性媒体を含有する水性分散液のことを「水性分散体」と記す）。ここで、酸変性ポリオレフィン樹脂（Ａ）の水性分散液について説明する。酸変性ポリオレフィン樹脂（Ａ）は、水性媒体中に分散させることで水性分散液に加工することが可能である。分散させる方法としては、自己乳化法や強制乳化法など公知の分散方法を採用すればよい。
【００２９】
酸変性ポリオレフィン樹脂（Ａ）の水性分散液としては、水性媒体中で酸変性ポリオレフィン樹脂（Ａ）の不飽和カルボン酸成分を塩基性化合物によって中和することで得られるアニオン性の水性分散液とすることが、接着性の観点から好ましい。
【００３０】
酸変性ポリオレフィン樹脂（Ａ）を水性分散化させる際に用いる水性媒体は、水又は、水を含む液体からなる媒体であり、分散安定化に寄与する中和剤や水溶性の有機溶媒などが含まれていてもよい。水溶性有機溶媒としては、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノールなどのアルコール類；メチルエチルケトン、メチルイソブチルケトン、エチルブチルケトン、シクロヘキサノン、イソホロンなどのケトン類；テトラヒドロフラン、ジオキサンなどのエーテル類；酢酸エチル、酢酸−ｎ−プロピル、酢酸イソプロピル、酢酸−ｎ−ブチル、酢酸イソブチル、酢酸−ｓｅｃ−ブチル、酢酸−３−メトキシブチル、プロピオン酸メチル、プロピオン酸エチル、炭酸ジエチル、炭酸ジメチルなどのエステル類；エチレングリコール、エチレングリコールモノメチルエーテル、エチレングリコールモノエチルエーテル、エチレングリコールモノプロピルエーテル、エチレングリコールモノブチルエーテル、エチレングリコールエチルエーテルアセテート、ジエチレングリコール、ジエチレングリコールモノメチルエーテル、ジエチレングリコールモノエチルエーテル、ジエチレングリコールモノブチルエーテル、ジエチレングリコールエチルエーテルアセテート、プロピレングリコール、プロピレングリコールモノメチルエーテル、プロピレングリコールモノブチルエーテル、プロピレングリコールメチルエーテルアセテートなどのグリコール誘導体；さらには、３−メトキシ−３−メチルブタノール、３−メトキシブタノール、アセトニトリル、ジメチルホルムアミド、ジメチルアセトアミド、ジアセトンアルコール、アセト酢酸エチルなどが挙げられる。なお、これら有機溶媒は２種以上を混合して使用してもよい。これらの中でも、沸点が１４０℃以下の揮発性の水溶性有機溶媒を用いることが、接着層形成後の残存量を少なくできる点で好ましい。具体的には、エタノール、ｎ−プロパノール、イソプロパノール、ｎ−ブタノールなどが好ましい。
【００３１】
また、酸変性ポリオレフィン樹脂（Ａ）の不飽和カルボン酸成分を中和するのに用いる塩基性化合物としては、アンモニア、トリエチルアミン、Ｎ，Ｎ−ジメチルエタノールアミン、アミノエタノールアミン、Ｎ−メチル−Ｎ，Ｎ−ジエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、３−メトキシプロピルアミン、モノエタノールアミン、モルホリン、Ｎ−メチルモルホリン、Ｎ−エチルモルホリン、水酸化ナトリウム、水酸化カリウムなどの有機アミン、アルカリ金属などが挙げられる。なお、塩基性化合物は２種以上を混合して使用してもよい。これらの中でも、沸点が１４０℃以下の揮発性の塩基性化合物を用いることが、接着層形成後の残存量を少なくできる点で好ましい。具体的には、アンモニア、トリエチルアミン、Ｎ，Ｎ−ジメチルエタノールアミンなどが好ましい。
【００３２】
本発明における接着層は、包装材料とした際のしわ発生や内容物の吸着を抑えたり、後述の水性分散体において、非水溶性溶剤の混在による分散安定性低減を抑えたりする観点から、ポリビニルアルコール（Ｂ）を含有している必要がある。ポリビニルアルコール（Ｂ）としては、ビニルエステルの重合体を完全又は部分ケン化したものなどが使用できる。ケン化方法としては、公知のアルカリケン化法や酸ケン化法を採用することができる。中でも、メタノール中で水酸化アルカリを使用して加アルコール分解する方法が好ましい。
【００３３】
ビニルエステルとしては、ぎ酸ビニル、酢酸ビニル、プロピオン酸ビニル、ピバリン酸ビニル、バーサチック酸ビニルなどがあげられる。中でも酢酸ビニルが工業的に最も好ましい。
【００３４】
ポリビニルアルコール（Ｂ）のケン化度としては、８０〜９９．９モル％が好ましく、９０〜９９．９モル％がより好ましく、９５〜９９．９モル％がさらに好ましい。ケン化度が前述の好ましい範囲から外れた場合、非水溶性溶剤が水性分散体に混在した場合、分散安定性が低減したり、包装材料のしわ抑制効果が低減する傾向にある。
【００３５】
ポリビニルアルコール（Ｂ）の平均重合度としては、１００〜３０００が好ましく、３００〜２０００がより好ましく、５００〜１５００がさらに好ましく、５００〜１０００が特に好ましい。１００未満であると、耐内容物性が悪化する場合があり、３０００を超えると、後述する水性分散体として利用する際の水性分散体の粘度が高くなりすぎる傾向がある。
【００３６】
また、本発明の効果を損ねない範囲で、ビニルエステルに対し他のビニル化合物を共重合することも可能である。他のビニル化合物であるビニル系モノマーとしては、クロトン酸、アクリル酸、メタクリル酸などの不飽和モノカルボン酸及びそのエステル、塩、無水物、アミド、ニトリル類や；マレイン酸、イタコン酸、フマル酸などの不飽和ジカルボン酸及びその塩；エチレンなど炭素数２〜３０のα−オレフィン類；アルキルビニルエーテル類；ビニルピロリドン類、ジアセトンアクリルアミドなどが挙げられる。例えば、エチレンを共重合した場合、すなわち、エチレン−ビニルアルコール共重合体の場合のエチレンの含有量としては、耐内容物性の観点から５０モル％以下が好ましく、４０モル％以下がより好ましい。
【００３７】
なお、ポリビニルアルコール（Ｂ）としては、市販のものが使用できる。具体的には、日本酢ビ・ポバール社製の「Ｊ−ポバール」、クラレ社製の「クラレポバール」「エクセバール」、電気化学工業社製の「デンカ  ポバール」などが好適に用いることができる。
【００３８】
本発明において、ポリビニルアルコール（Ｂ）は、後述するように水溶液として利用することが好ましい。ポリビニルアルコール（Ｂ）を水に溶解する方法は、特に限定されない。具体的には、水にポリビニルアルコール（Ｂ）を投入し攪拌し、必要に応じて加熱する方法などが挙げられる。
【００３９】
ポリビニルアルコール（Ｂ）は、接着層において酸変性ポリオレフィン樹脂（Ａ）１００質量部に対し０．１〜１０質量部の範囲で含有されている必要があり、０．１〜７質量部が好ましく、０．５〜５質量部がより好ましく、１〜３質量部が特に好ましい。（Ｂ）の含有量が０．１質量部未満の場合は、積層体を包装材料に加工した際、ヒートシール境界部分にしわが発生するのを抑制する効果や、水性分散体に非水溶性溶剤が混在した場合に分散安定性が悪化する。さらに接着層が内容物成分を吸着し易くなる傾向がある。一方、１０質量部を超えた場合は、熱可塑性樹脂フィルムとシーラント層との接着性が低下する。
【００４０】
さらに、本発明における接着層は、接着性や耐内容物性能性、包装材料のしわ抑制効果などを一層高める目的で、架橋剤（Ｃ）を含有している必要がある。本発明において、架橋剤（Ｃ）とは、酸変性ポリオレフィン樹脂（Ａ）及び／又はポリビニルアルコール（Ｂ）と反応することで（Ａ）及び／又は（Ｂ）の架橋構造を形成することが可能な化合物のことである。具体的には、（Ａ）及び／又は（Ｂ）が含有する官能基と反応可能な官能基を分子中に複数個含有する化合物などが挙げられる。より具体的には、多価オキサゾリン化合物、多価カルボジイミド化合物、多価ヒドラジド化合物、多価イソシアネート化合物、多価イソシアネート化合物、多価メラミン化合物、多価尿素化合物、多価エポキシ化合物、多価アミン化合物などが挙げられ、これらの架橋剤は組み合わせて使用してもよい。これらの架橋剤の中でも、接着性や耐内容物性能性、包装材料のしわ抑制効果などをより高める観点から、多価オキサゾリン化合物、多価カルボジイミド化合物が好ましい。さらに、架橋剤は低分子量化合物であってもポリマータイプのものでも構わない。
【００４１】
本発明において、架橋剤（Ｃ）は、後述するように水溶液又は水性分散液として利用することが好ましい。すなわち、架橋剤（Ｃ）は、水溶性又は水分散性であることが好ましい。架橋剤（Ｃ）を水溶液又は水性分散液に加工する方法は、特に限定されず、公知の方法が採用できる。
【００４２】
多価オキサゾリン化合物の水溶液又は水性分散液としては、例えば日本触媒社製の「エポクロス（登録商標）」などがあり、多価カルボジイミド化合物の水溶液又は水性分散液としては、例えば日清紡ケミカル社製の「カルボジライト（登録商標）」などがある。いずれも市販のものを用いることが可能である。
【００４３】
架橋剤（Ｃ）は、接着層において（Ａ）と（Ｂ）の総量１００質量部（Ａ＋Ｂ）に対し０．１〜３０質量部の範囲で含有されている必要があり、０．２〜２０質量部の範囲が好ましく、０．３〜１０質量部の範囲がより好ましく、０．５〜５質量部の範囲が特に好ましい。架橋剤（Ｃ）が前記範囲を外れた場合は、接着性や耐内容物性能性、包装材料のしわ抑制などの性能が悪化する場合がある。
【００４４】
本発明における接着層の厚みとしては、０．０１〜１０μｍの範囲が好ましく、０．０５〜５μｍであることがより好ましく、０．１〜２μｍであることが特に好ましく、０．２〜１μｍであることがさらに好ましい。０．０１μｍ未満では、十分な接着性、耐内容物性が得られない傾向にあり、一方、１０μｍを超える場合には、経済的に不利となる傾向にある。
【００４５】
本発明における接着層を、熱可塑性樹脂フィルムとシーラント層の間に設ける方法は特に限定されるものではないが、酸変性ポリオレフィン樹脂（Ａ）、ポリビニルアルコール（Ｂ）及び架橋剤（Ｃ）を前記の割合で含有した塗材を予め調整しておき、該塗材を熱可塑性樹脂フィルムに塗布することで塗膜（接着層）を形成させ、次いで該接着層を介して熱可塑性樹脂フィルムとシーラント樹脂をラミネートする方法が挙げられ、この方法が低コストでかつ本発明の効果を発揮させる観点から好ましい。
【００４６】
塗材としては、酸変性ポリオレフィン樹脂（Ａ）、ポリビニルアルコール（Ｂ）及び架橋剤（Ｃ）が水性媒体中に分散及び溶解した水性分散体を用いることが、接着層の厚みを好ましい厚みにし易いことや、本発明の効果を十分に発揮させることが可能となるため好ましい。ここで、水性分散体における水性媒体とは、水又は、水を含む液体からなる媒体であり、分散安定化に寄与する中和剤や水溶性の有機溶媒などが含まれていてもよい。
【００４７】
水性分散体の製造方法は特に限定されないが、酸変性ポリオレフィン樹脂（Ａ）の水性分散液、ポリビニルアルコール（Ｂ）の水溶液、架橋剤（Ｃ）の水溶液又は水性分散液を個別に作製しておいてから、（Ａ）、（Ｂ）、（Ｃ）の組成比が本発明に規定する割合となるようにそれぞれを混合する方法などを採用することができる。
【００４８】
水性分散体中の分散粒子の数平均粒子径としては、１０００ｎｍ以下であることが好ましく、１０〜５００ｎｍがより好ましく、３０〜３００ｎｍが特に好ましく、５０〜２００ｎｍがさらに好ましい。数平均粒子径が１０００ｎｍを超えると、水性分散体の保存安定性が低下する傾向にあり、本発明の効果が低下することがある。
【００４９】
水性分散体中の固形分濃度（不揮発成分濃度）としては、水性分散体全体に対して１〜５０質量％の範囲であることが好ましい。
【００５０】
本発明における水性分散体には、各用途における使用目的に応じて本発明の効果を損なわない範囲で、酸変性ポリオレフィン樹脂（Ａ）、ポリビニルアルコール（Ｂ）及び架橋剤（Ｃ）以外にも、各種の添加剤を加えることができる。添加剤としては、（Ａ）、（Ｂ）、（Ｃ）以外の樹脂（以下、「他の樹脂」と称す）、無機微粒子などが挙げられる。
【００５１】
他の樹脂の具体例としては、ポリ酢酸ビニル、ポリ塩化ビニル、アクリル樹脂、アクリルシリコン樹脂、エチレン−酢酸ビニル共重合体、酢酸ビニル−アクリル共重合体、エチレン−アミノアクリルアミド共重合体、エチレン−アミノアクリレート共重合体、ポリ塩化ビニリデン、スチレン−マレイン酸樹脂、スチレン−アミノアルキルマレイミド共重合体、スチレン−ブタジエン樹脂、スチレン系エラストマー、ブタジエン樹脂、アクリロニトリル−ブタジエン樹脂、ポリ（メタ）アクリロニトリル樹脂、（メタ）アクリルアミド樹脂、塩素化ポリエチレン樹脂、塩素化ポリプロピレン樹脂、ポリエステル樹脂、変性ナイロン樹脂、ポリウレタン樹脂、フェノール樹脂、シリコーン樹脂、エポキシ樹脂、フッ素含有樹脂、ポリエチレンイミン、ＵＶ硬化型樹脂などが挙げられる。これらは、単独で又は２種以上を混合して使用することができる。これらの中でも、接着性をより向上させる観点から、アクリル樹脂、ポリウレタン樹脂、ポリエステル樹脂が好ましい。これらの樹脂を添加する際は、これらを水性分散体又は水溶液としたものを使用することが好ましい。
【００５２】
他の樹脂の添加量としては、酸変性ポリオレフィン樹脂（Ａ）、ポリビニルアルコール（Ｂ）及び架橋剤（Ｃ）の総量１００質量部に対して、０．１〜３００質量部であることが好ましく、３〜２００質量部であることがより好ましく、５〜１００質量部であることが特に好ましい。
【００５３】
一方、無機微粒子としては、例えば、酸化マグネシウム、酸化スズ、酸化チタンなどの金属微粒子や金属酸化物、炭酸カルシウム、シリカ、硫酸バリウム、珪酸カルシウム、ゼオライト、カオリナイト、ハロイサイト、炭酸マグネシウム、硫酸カルシウム、雲母、タルク、擬ベーマイト、アルミナ、珪酸アルミニウム、珪酸カルシウム、珪酸マグネシウム、酸化ジルコニウム、水酸化ジルコニウム、酸化セリウム、酸化ランタン、酸化イットリウムなどの無機粒子が挙げられる。これらは単独で用いてもよいし、２種以上を混合して使用してもよい。
【００５４】
無機微粒子の平均粒子径としては、水性分散体の分散安定性の面から０．０００５〜１００μｍが好ましく、０．００５〜１０μｍがより好ましい。
【００５５】
さらに、本発明における水性分散体には、この他、必要に応じてレベリング剤、消泡剤、ワキ防止剤、顔料分散剤、紫外線吸収剤、触媒、光触媒、ＵＶ硬化剤、濡れ剤、浸透剤、柔軟剤、増粘剤、分散剤、撥水剤、帯電防止剤、老化防止剤、加硫促進剤、シランカップリング剤などの各種薬剤、顔料あるいは染料、カーボンブラック、カーボンナノチューブ、ガラス繊維などを添加してもよい。これらは、単独で用いてもよいし、２種類以上を組み合わせて用いてもよい。
【００５６】
本発明における接着層は、（Ａ）、（Ｂ）、（Ｃ）及び水性媒体を含有した水性分散体を熱可塑性樹脂フィルムに塗布することで得られる塗膜であることが好ましい。詳しくは、可塑性樹脂フィルムの少なくとも一方の面に水性分散体を塗布した後、塗布した水性分散体中の水性媒体の一部又は全てを乾燥により気化させることで塗膜を形成することができる。
【００５７】
水性分散体の塗布及び乾燥方法としては、公知の方法、例えば、グラビアロールコーティング、リバースロールコーティング、ワイヤーバーコーティング、リップコーティング、エアナイフコーティング、カーテンフローコーティング、スプレーコーティング、浸漬コーティング、はけ塗り法などにより、熱可塑性樹脂フィルム表面に均一に水性分散体をコーティングし、必要に応じて室温付近でセッティングした後、乾燥処理又は乾燥のための加熱処理に供することにより、水性媒体の一部又は全てを気化させ、均一な塗膜、すなわち接着層を熱可塑性樹脂フィルム表面に密着させて形成することができる。乾燥温度は特に限定されないが、４０〜１５０℃の範囲で良好に乾燥することができる。乾燥の際は、水性媒体の全てを気化させることが、接着性や耐内容物性を良好にする観点から好ましい。
【００５８】
なお、熱可塑性樹脂フィルムのどちらか一方の面に後述するような別の層などを予め積層しておき、後に、他方の面の少なくとも一部に上記水性分散体を塗布、乾燥することで接着層を形成してもよい。
【００５９】
次に、本発明におけるシーラント層としては、従来から知られたシーラント樹脂が使用できる。例えば、低密度ポリエチレン（ＬＤＰＥ）、直鎖状低密度ポリエチレン（Ｌ−ＬＤＰＥ）や高密度ポリエチレン（ＨＤＰＥ）などポリエチレン、酸変性ポリエチレン、ポリプロピレン、酸変性ポリプロピレン、共重合ポリプロピレン、エチレン−ビニルアセテート共重合体、エチレン−（メタ）アクリル酸エステル共重合体、エチレン−（メタ）アクリル酸共重合体、アイオノマーなどのポリオレフィン樹脂などが挙げられ、中でも低温シール性の点でポリエチレン系樹脂が好ましく、安価であることからポリエチレンが特に好ましい。シーラント層の厚みとしては、特に限定されないが、積層体の加工性やヒートシール性などを考慮して１０〜６０μｍの範囲が好ましく、１５〜４０μｍの範囲がより好ましい。また、シーラント層に５〜２０μｍ程度の凸凹を設けることで、シーラント層に滑り性を、包装材料に引き裂き性をそれぞれ付与することが可能である。
【００６０】
シーラント層を設ける方法としては、熱可塑性樹脂フィルムの上に設けられた接着層に前述したシーラント樹脂からなるシーラントフィルムを熱によって貼り合わせる方法（ドライラミネート法）や、熱可塑性樹脂フィルムの上に設けられた接着層に溶融したシーラント樹脂を押出し、後に冷却固化することで貼り合わせる方法（押出ラミネート法）などが挙げられる。中でも接着性や耐内容物性などの性能やコストの観点から、押出ラミネート法を採用することが好ましい。押出ラミネート法を採用したときの溶融シーラント樹脂温度としては、接着性や耐内容物性を良好にする観点から、２００〜４００℃の範囲が好ましく、２５０〜３５０℃の範囲がより好ましく、２８０〜３３０℃の範囲がさらに好ましい。また、このときの溶融シーラント樹脂には、接着性や耐内容物性の向上又はライン速度の向上を図る観点から、オゾン処理など各種表面処理が施されていてもよい。
【００６１】
さらに、接着性や耐内容物性などの性能をより向上させるために、得られた包装材料用積層体をエージング処理してもよい。エージング処理の条件としては、室温〜６０℃程度の温度で、１２〜２００時間保持すればよい。
【００６２】
本発明の包装材料は、熱可塑性樹脂フィルム、接着層及びシーラント層が少なくともこの順に積層されてなる積層体からなり、通常、熱可塑性樹脂フィルムを外側、シーラント層を内側（内容物側）にして使用されるが、何らこれに限定されるものでなく、包装材料として要求される物性（剛性や耐衝撃性、耐久性など）や用途、さらには性能（易引裂性やハンドカット性、耐ピンホール性、印刷性、透明性、隠蔽性、意匠性など）などに応じて、別の層を適宜積層し、様々な層構成の積層体として用いてもよい。例えば、熱可塑性樹脂フィルムの外側に、樹脂フィルム、合成紙、紙、不織布、金属箔、蒸着層、印刷層といった別の層を積層してもよいし、これら別の層は、単独で積層されても複数で積層されてもよい。また、別の層として、上記した熱可塑性樹脂フィルム、接着層、シーラント層と同じ組成のものを、第２の熱可塑性樹脂フィルム、第２の接着層、第２のシーラント層として、さらに設けても構わない。
【００６３】
積層体の層構成としては、例えば、第２のシーラント層／紙層／バリア層／熱可塑性樹脂フィルム／接着層／シーラント層といった紙容器、紙カップなどに好適な層構成や、第２の熱可塑性樹脂フィルム／バリア層／熱可塑性樹脂フィルム／接着層／シーラント層、紙層／バリア層／熱可塑性樹脂フィルム／接着層／ヒートシール層、第２の熱可塑性樹脂フィルム／紙層／バリア層／熱可塑性樹脂フィルム／接着層／ヒートシール層といった一般的な包装材料や蓋材、詰め替え容器などに好適な層構成、さらには、第２のシーラント層／バリア層／熱可塑性樹脂フィルム／接着層／ヒートシール層といったチューブ容器などに好適な層構成などが挙げられる。これらの積層体には、必要に応じて印刷層やトップコート層などが設けてあっても構わない。また、別の層を積層するにあたり、例えば、水酸基やカルボキシル基を有する主剤とイソシアネート化合物とを混合した二液混合型接着剤のような公知の接着剤を用いることができる。
【００６４】
別の層として使用されるバリア層には、液体や気体を遮断できる材料であればどのような材料でも適用できる。具体的には、アルミニウム箔などの軟質金属箔の他、アルミ蒸着、シリカ蒸着、アルミナ蒸着、シリカアルミナ２元蒸着などの蒸着層、さらには塩化ビニリデン系樹脂、変性ポリビニルアルコール、エチレンビニルアルコール共重合体、ＭＸＤナイロンなどからなる有機バリア層などが使用できる。
【００６５】
バリア層として蒸着層を適用する場合には、市販の蒸着フィルムを使用することが簡便である。そのような蒸着層を有するフィルムとしては、例えば、大日本印刷社製の「ＩＢシリーズ」、凸版印刷社製の「ＧＬ、ＧＸシリーズ」、東レフィルム加工社製の「バリアロックス」、ＶＭ−ＰＥＴ、ＹＭ−ＣＰＰ、ＶＭ−ＯＰＰ、三菱樹脂社製「テックバリア」、東セロ社製「メタライン」、尾池工業社製「ＭＯＳ」「テトライト」、「ビーブライト」などが使用できる。なお、蒸着層の上には、必要に応じて保護コート層を設けてもよい。
【００６６】
また、バリア層として有機バリア層を適用する場合にも、有機バリア層を有するフィルムを使用することが簡便である。この場合、当該フィルムとして、バリア性を有する樹脂を含む塗材をフィルムに塗布したもの、バリア性を有する樹脂を共押し出し法によりフィルムに積層したものなどを用いてもよいが、市販の有機バリア層を有するフィルムを使用することが簡便であり、好ましい。そのような有機バリア層を有するフィルムとしては、クラレ社製の「クラリスタ」、「エバール」、呉羽化学工業社製の「ベセーラ」、三菱樹脂社製の「スーパーニール」、興人社製の「コーバリア」、ユニチカ社製の「セービックス（登録商標）」、「エンブロンＭ」、「エンブロンＥ」、「エンブレムＤＣ」、「エンブレットＤＣ」、「ＮＶ」、東セロ社製の「Ｋ−ＯＰ」、「Ａ−ＯＰ」、ダイセル社製の「セネシ」などが例示できる。
【００６７】
本発明では、バリア性の観点から、バリア層としてアルミニウム箔の他、アルミニウム、シリカ、アルミナなどの蒸着層が一般に好適であり、特に安価である点から、アルミニウム箔、アルミニウムの蒸着層といったアルミニウムから構成されるバリア層が好ましい。バリア層の厚みとしては、特に限定されないが、例えばアルミニウム箔の場合には、経済的な点から３〜５０μｍが好ましい。
【００６８】
バリア層が具体的にどの程度のバリア性を有していることが好ましいかについては、包装する内容物や保存期間などにより、多少変動するものの、おおむね水蒸気透過度として、１００ｇ／ｍ2・ｄａｙ（４０℃、９０％ＲＨ）以下が好ましく、２０ｇ／ｍ2・ｄａｙ以下がより好ましく、１０ｇ／ｍ2・ｄａｙ以下がさらに好ましく、１ｇ／ｍ2・ｄａｙ以下が特に好ましい。酸素透過度としては、１００ｍｌ／ｍ2・ｄａｙ・ＭＰａ（２０℃、９０％ＲＨ）以下が好ましく、２０ｍｌ／ｍ２・ｄａｙ・ＭＰａ以下がより好ましく、１０ｍｌ／ｍ2・ｄａｙ・ＭＰａ以下がさらに好ましく、１ｍｌ／ｍ2・ｄａｙ・ＭＰａ以下が特に好ましい。
【００６９】
また、上記した別の層には、公知の添加剤や安定剤、例えば帯電防止剤、易接着コート剤、可塑剤、滑剤、酸化防止剤などが含まれていてもよく、その他の材料と積層する場合の密着性を向上させるために、前処理として表面をコロナ処理、プラズマ処理、オゾン処理、薬品処理、溶剤処理などしてもよい。
【００７０】
別の層の厚さとしては、包装材料としての適性、積層する際の加工性などを考慮して適宜決定すればよく、特に制限されないが、実用的には１〜３００μｍの範囲が好ましく、用途によっては３００μｍ以上のものを採用してもよい。
【００７１】
本発明の包装材料用積層体は、各種の加工方法とりわけヒートシール加工（ヒートシール層を介してヒートシールする加工）により、様々な形態の包装材料に加工することが可能である。包装材料の形態としては、三方シール袋、四方シール袋、ガセット包装袋、ピロー包装袋、ゲーベルトップ型の有底容器、テトラクラッシク、ブリュックタイプ、チューブ容器、紙カップ（胴部用と底部用のブランク板をそれぞれ作製し、該ブランク板を、カップ成形機を用いて筒状の胴部に成形すると共に、胴部の一方の開口端に底部を成形し、熱接着してなる紙カップ容器など）、蓋材など種々の形態が挙げられる。さらに、最内層のシーラント層にポリエチレン樹脂やポリプロピレン樹脂製のチャックを設けて、チャック付き包装袋とすることもできる。また、本発明の包装材料用積層体は深絞り成型にも適している。
【００７２】
本発明の包装材料用積層体は、上記のようにヒートシール加工して包装材料とした場合、ヒートシール部分とヒートシールしていない部分の境界線からヒートシールしていない部分に発生するしわ（本発明では「ヒートシール境界部分に発生するしわ」などと表現することがある）が発生し難く、包装材料としたとき見栄えにも優れている。また、使用する接着層は、内容物の吸着が少ないため、包装材料への内容物の臭い移りや着色を抑制し、内容物を長期間良好に保存することが可能となる。
【００７３】
本発明の包装材料は、様々な内容物に対して良好な耐内容物性を有していることから、特に、揮発性を有する内容物や刺激性の強い内容物を包む包装材料として好適であり、中でも香り成分、香辛料成分、薬効成分を有する製品の包装材料として最適である。具体的には、アルコール（例えば５０質量％以上の高濃度アルコール）、アルコール飲料、酸化防止剤、亜硫酸塩、芳香剤、香料、入浴剤（液体タイプ、粉末タイプ）、香辛料（チョウジ、唐辛子）、湿布剤、貼付剤、医薬品、電池電解液、トイレタリー製品、界面活性剤、シャンプー、リンス、洗剤、車用洗浄剤、パーマ液、防虫剤、殺虫剤、消毒液、消臭剤、育毛剤、食酢、歯磨き剤、化粧品、現像液、毛染め剤、歯磨き粉、マスタード、食酢、油、カレー、粉末キムチの素、タバスコ（登録商標、キダチトウガラシを原料とした香辛料）、リモネン、トルエン、キシレン、酢酸、塩基性物質を含んだ物、酸性物物質を含んだ物の包装材料に好適である。
【００７４】
本発明の包装材料用積層体は、熱可塑性樹脂フィルムとシーラント層との層間接着性が優れており、求められる層間接着強度としては、使用目的や用途によって多少変動するものの、一般には、１５ｍｍ幅に切り取られた積層体の熱可塑性樹脂フィルムとシーラント層との層間を２００ｍｍ／分の速度でＴ型剥離した際の剥離強度が、１．０Ｎ／１５ｍｍ以上であることが好ましく、３．０Ｎ／１５ｍｍ以上がより好ましく、５．０Ｎ／１５ｍｍ以上がさらに好ましく、７．０Ｎ／１５ｍｍ以上が特に好ましく、剥離不可であることが最も好ましい。なお、剥離不可とは、層間接着強度が強すぎるため、熱可塑性樹脂フィルムとシーラント層の界面とを剥離することが全くできない態様をいう。具体的には、測定に必要なきっかけを設けることができない場合、もしくはきっかけを設けることができても、測定時に積層体に切れや伸びなどが発生する場合のことであり、このような現象があった場合には、その層間接着強度は１０Ｎ／１５ｍｍを超えると推認される。
【実施例】
【００７５】
以下、実施例によって本発明を具体的に説明するが、本発明はこれらに限定されるものではない。
【００７６】
なお、各種の特性は以下の方法により測定又は評価した。
【００７７】
１．水性分散体の特性
（１）酸変性ポリオレフィン樹脂（Ａ）の組成
1Ｈ−ＮＭＲ分析装置（日本電子社製、ＥＣＡ５００、５００ＭＨｚ）より求めた。テトラクロロエタン（ｄ2）を溶媒とし、１２０℃で測定した。
（２）酸変性ポリオレフィン樹脂（Ａ）のメルトフローレート（ＭＦＲ）
ＪＩＳ  Ｋ７２１０：１９９９記載の方法に準じて、１９０℃、２１６０ｇ荷重で測定した。
（３）ポリビニルアルコール（Ｂ）のケン化度及び平均重合度
ＪＩＳ  Ｋ６７２６：１９９４記載の方法に準じて測定した。
（４）水性分散体の分散粒子の数平均粒子径
マイクロトラック粒度分布計（日機装社製、ＵＰＡ１５０、ＭＯＤＥＬ  Ｎｏ．９３４０、動的光散乱法）を用いて求めた。粒子径算出に用いる樹脂の屈折率は１．５０とした。
（５）非水溶性溶剤混在時の分散安定性
内容量３０ｍｌの透明ガラス瓶に、２０ｇの水性分散体及び０．５ｇのトルエン（非水溶性溶剤）を入れ、ガラス瓶を閉じ、激しく振ることで水性分散体とトルエンとを混合した。混合後、瓶内の水性分散体の状態を目視にて以下の指標で評価した。
○：凝集物なし
△：微かに凝集物あり
×：多量の凝集物あり
（６）内容物成分の吸着性
ポリテトラフルオロエチレン製シートの上で水性分散体を、１２０℃、５時間で乾燥することで、厚み１００〜１２０μｍの塗膜（接着層と同じ組成の塗膜）を形成した。次に、塗膜をポリテトラフルオロエチレン製シートから剥がし、塗膜の質量が０．３ｇになるように切り出した後、リモネン２０ｇが入った内容量１００ｍｌのガラス容器に入れ、容器を密封し５０℃で保持した。なおリモネンと接着層は直接接触しないようにステンレスメッシュで上下に区切った。５０℃で５日間リモネンガスに暴露した後、塗膜の質量を測定し下記式（１）にて吸着率を算出した（吸着率が小さいほど吸着性が少ないことを示す）。
吸着率（％）＝〔暴露後塗膜質量（ｇ）−０．３（ｇ）〕÷０．３（ｇ）×１００
【００７８】
２、包装材料の特性
（１）ヒートシール境界部分に発生するしわ
包装材料において、ヒートシール部分とヒートシールしていない部分との境界線５０ｍｍの範囲において、境界線からヒートシールしていない部分に発生しているしわの数を目視で数えた。
（２）接着強度（耐内容物試験前）
包装材料用積層体から幅１５ｍｍ、長さ８０ｍｍの試験片を切り出し、引張り試験機（インテスコ社製精密万能材料試験機２０２０型）を用い、Ｔピール法により試験片の端部から熱可塑性樹脂フィルムとシーラント層とを剥離するのに必要な強度を測定した。測定は２０℃、６５％ＲＨの雰囲気中、引張速度２００ｍｍ／分で行った。
（３）耐内容物試験
包装材料用積層体から１０ｍｍ四方の試験片を２枚切り出し、２枚の試験片のシーラント層面同士を向かい合わせ、ずれのないように重ね、試験片の４辺のうち３辺の端分を幅５ｍｍでヒートシールし、包装材料とした。次に、得られた包装材料に内容物としてトルエンを１０ｇ入れ、シールしていない一辺をシール幅５ｍｍでヒートシールし、トルエンを内封する包装材料とした。その後、この状態で包装材料を５０℃で２週間保存した。保存後、包装材料を開封し、前記（２）と同様にして、試験片の接着強度を測定した。
【００７９】
製造例１〔酸変性ポリオレフィン樹脂（Ａ）の水性分散液の製造〕
まず、エチレン−アクリル酸エチル−無水マレイン酸共重合体〔エチレン／アクリル酸エチル／無水マレイン＝８３／１４．５／２．５（質量比）、ランダム共重合体、ＭＦＲ＝４ｇ／１０分、以下、「ＰＥ−Ｍ」と略す〕を準備した。
【００８０】
次に、ヒーター付きの密閉できる耐圧１リットル容ガラス容器を備えた撹拌機を用いて、６０．０ｇのＰＥ−Ｍ、９０．０ｇのイソプロパノール、３．０ｇのトリエチルアミン及び１４７．０ｇの蒸留水をガラス容器内に仕込み、撹拌翼の回転速度を３００ｒｐｍとして撹拌したところ、容器底部には樹脂粒状物の沈澱は認められず、浮遊状態となっていることが確認された。そこでこの状態を保ちつつ、１０分後にヒーターの電源を入れ加熱した。そして系内温度を１４０〜１４５℃に保ってさらに３０分間撹拌した。その後、ガラス容器を水浴につけて、回転速度３００ｒｐｍのまま攪拌しつつ室温（約２５℃）まで冷却した後、３００メッシュのステンレス製フィルター（線径０．０３５ｍｍ、平織）で加圧濾過（空気圧０．２ＭＰａ）し、乳白色の均一なＰＥ−Ｍの水性分散液を得た。得られたＰＥ−Ｍの水性分散液の固形分濃度は２０質量％であった。
【００８１】
製造例２〔ポリビニルアルコール（Ｂ）の水溶液ＰＶＡ１〜３の製造〕
ポリビニルアルコール（Ｂ）として日本酢ビ・ポバール社製、ＶＣ−１０（以下、「ＶＣ−１０」と示す）、ＪＦ−０３（以下、「ＪＦ−０３」と示す）、ＪＬ−２５Ｅ（以下、「ＪＬ−２５Ｅ」と示す）」を用い、水を添加して加熱、攪拌することにより８質量％ポリビニルアルコール水溶液を得た。なお、ＶＣ−１０の水溶液を「ＰＶＡ１」、ＪＦ−０３の水溶液を「ＰＶＡ２」、ＪＬ−２５Ｅの水溶液を「ＰＶＡ３」とする。
【００８２】
また、原料に用いたポリビニルアルコールのケン化度及び平均重合度は、以下の通りである。
ＶＣ−１０：重合度１０００、ケン化度９９．５モル％
ＪＦ−０３：重合度３００、ケン化度９９．０モル％
ＪＬ−２５Ｅ：重合度２５００、ケン化度７９．０モル％
【００８３】
＜実施例１＞
まず、酸変性ポリオレフィン樹脂（Ａ）の水性分散液としてＰＥ−Ｍの水性分散液を、ポリビニルアルコール（Ｂ）の水溶液としてＰＶＡ１を、さらに架橋剤（Ｃ）の水溶液として多価オキサゾリン化合物水溶液〔日本触媒社製、エポクロスＷＳ−７００（登録商標）、多価オキサゾリン化合物濃度２５質量％、数平均分子量約２００００、以下、「ＷＳ−７００」と略す〕を準備した。次に、ＰＥ−Ｍの水性分散液中の酸変性ポリオレフィン樹脂（Ａ）１００質量部に対して、ポリビニルアルコール（Ｂ）が０．１質量部となるように、ＰＥ−Ｍの水性分散液とＰＶＡ１とを攪拌混合した。そして、得られた混合液に含まれる酸変性ポリオレフィン樹脂（Ａ）とポリビニルアルコール（Ｂ）との総量１００質量部（Ａ＋Ｂ）に対して、架橋剤（Ｃ）が５質量部となるように、上記混合液とＷＳ−７００とを攪拌混合し、（Ａ）、（Ｂ）、（Ｃ）及び水性媒体を含有する水性分散体を調製した。
【００８４】
次に、得られた水性分散体を、熱可塑性樹脂フィルムである二軸延伸ＰＥＴフィルム（ユニチカ社製、エンブレットＰＥＴ−２５、厚さ２５μｍ、コロナ処理品）のコロナ処理面に、乾燥後の塗膜の厚さが０．３μｍとなるように塗布し、１００℃で２分間乾燥し接着層を形成した。次いで、押出機を備えたラミネート装置を用いて、接着層の表面にシーラント樹脂ＬＤＰＥ（住友化学社製、スミカセンＬ２１１）を、ダイス温度３２０℃で溶融押出して、４０μｍのＬＤＰＥからなるシーラント層を形成し、熱可塑性樹脂フィルム、接着層及びシーラント層からなる包装材料用積層体を得た。
【００８５】
＜実施例２〜９、比較例２、４＞
水性分散体中の（Ａ）、（Ｂ）、（Ｃ）の含有量を表１に示すように変更した以外は、実施例１と同様の操作を行って、包装材料用積層体を得た。
【００８６】
＜実施例１０、１１＞
ポリビニルアルコール（Ｂ）の水溶液として、ＰＶＡ１に代えてＰＶＡ２（実施例１０）、ＰＶＡ３（実施例１１）を用いた以外は、実施例３と同様の操作を行って、包装材料用積層体を得た。
【００８７】
＜実施例１２＞
架橋剤（Ｃ）の水溶液として、ＷＳ−７００に代えて多価カルボジイミド化合物水溶液〔日清紡ケミカル社製、カルボジライトＶ−０２−Ｌ２（登録商標）、多価カルボジイミド化合物濃度４０質量％、以下、「Ｖ−０２−Ｌ２」と略す〕を用いた以外は、実施例３と同様の操作を行って、包装材料用積層体を得た。
【００８８】
＜実施例１３＞
熱可塑性樹脂フィルムとして、二軸延伸ＰＥＴフィルムに代えて二軸延伸Ｎｙ６フィルム（ユニチカ社製、エンブレム、厚さ１５μｍ、コロナ処理品）を用いた以外は、実施例３と同様の操作を行って、包装材料用積層体を得た。
【００８９】
＜比較例１＞
ＰＥ−Ｍの水性分散液中の酸変性ポリオレフィン樹脂（Ａ）１００質量部に対して、架橋剤（Ｃ）が５質量部となるように、ＰＥ−Ｍの水性分散液とＷＳ−７００とを攪拌混合し、（Ａ）、（Ｃ）及び水性媒体を含有する水性分散体を調製した。すなわち、ポリビニルアルコール（Ｂ）を含有しない水性分散体を調製した。そして以降は、この水性分散体を用いる以外は、実施例１と同様の操作を行って、包装材料用積層体を得た。
【００９０】
＜比較例３＞
ＰＥ−Ｍの水性分散液中の酸変性ポリオレフィン樹脂（Ａ）１００質量部に対して、ポリビニルアルコール（Ｂ）が０．１質量部となるように、ＰＥ−Ｍの水性分散液とＰＶＡ１とを攪拌混合し、（Ａ）、（Ｂ）及び水性媒体を含有する水性分散体を調製した。すなわち、架橋剤（Ｃ）を含有しない水性分散体を調製した。そして以降は、この水性分散体を用いる以外は、実施例１と同様の操作を行って、包装材料用積層体を得た。
【００９１】
＜比較例５＞
熱可塑性樹脂フィルムとして、二軸延伸ＰＥＴフィルムに代えて二軸延伸Ｎｙ６フィルム（ユニチカ社製、エンブレム、厚さ１５μｍ、コロナ処理品）を用いた以外は、比較例１と同様の操作を行って、包装材料用積層体を得た。
【００９２】
実施例１〜１３、比較例１〜５で用いた水性分散体、及び各例で得られた包装材料の評価結果を表１に示す。
【００９３】
【表１】
2014144570.tif 000002
【００９４】
実施例１〜１３で用いた水性分散体は、非水溶性溶剤混在時の分散安定性に優れるものであった。したがって、各種コーターを使用して接着層を形成するにあたり、塗材の置き換え作業時に非水溶性溶剤が多少混在しても、水性分散体中には微細な凝集物が実質的に発生しないといえ、製造現場において均一な接着層を形成しうるといえる。
【００９５】
また、実施例１〜１３において、塗膜は内容物成分を吸着し難いものであった。内容物成分の吸着性評価については内容物としてリモネンを使用したが、リモネンは拡散性の強い物質であり、そのリモネンを吸着し難いのだから、その他の成分についても同様に吸着し難いものと推認される。よって、この点から、本発明の包装材料は、内容物の種類を問わず吸着抑制効果に優れているといえる。
【００９６】
そして、本発明の包装材料は、上記水性分散体に由来にする接着層を備えており、ヒートシール境界部分にしわが発生し難く、接着性、耐内容物性能にも優れるものであった。
【００９７】
これに対し、比較例１〜５にかかる包装材料は、しわ抑制効果と耐内容物性能とを兼ね備えるものではなかった。